【事件の表示】
　特願２００５−　９１４２５「電子部品自動装着装置」拒絶査定不服審判事件〔平成１７年　９月　２日出願公開、特開２００５−２３６３１９〕について、次のとおり審決する。
【結　論】
　本件審判の請求は、成り立たない。
【理　由】
１．手続の経緯
　本願は、平成６年５月３１日に出願した特願平６−１１８４６８号の一部を平成１７年３月２８日に新たな特許出願としたものであって、同年８月２日付で拒絶の理由が通知され、同年１０月１１日付で手続補正がされたものの、同年１１月１日付で拒絶査定がされたものである。そして、同年１２月９日に拒絶査定不服審判の請求がされるとともに、同日付けで手続補正がされたものである。
　
２．本願発明
　本願の請求項１に係る発明は平成１７年１２月９日付で補正された明細書の特許請求の範囲の請求項１に記載された事項により特定される次のとおりのものである。（以下、「本願発明」という。）
　
「電子部品を供給する部品供給手段と、この部品供給手段から供給される電子部品を吸着しプリント基板に装着する装着ヘッドと、前記吸着及び装着に係る作業のための種々の表示をする表示画面とを備えた電子部品自動装着装置において、前記表示画面の表示の電子部品の吸着或いは装着に係るデータを編集する表示への変更に関わらず、装置の所定種類の機能の遷移状態を常に表示する表示部を前記表示画面に設けたことを特徴とする電子部品自動装着装置。」
　
３．原査定の理由の概要
　原審の拒絶査定の理由の概要は、次のとおりのものである。
　本願の請求項１−３に係る発明は、その出願前頒布された下記刊行物１−２に記載された発明に基づいて、当業者が容易に発明をすることができたものであるから、特許法第２９条第２項の規定により特許を受けることができない。
　
　刊行物１：特開平５−１９８９７８号公報
　刊行物２：特開平５−３４１９３９号公報
　
４．引用刊行物とその記載事項
　原審の拒絶査定に引用された刊行物１−２には、次の事項が記載されている。
（１）刊行物１
（１ａ）「プリント基板上に所定の作業を行う電子部品の組立装置に於いて、該組立装置に何らかの異常が発生した場合に当該異常内容を記憶する記憶装置と、該記憶装置に記憶された異常内容を種類分けして種類別に表示する表示装置とを設けたことを特徴とする電子部品の組立装置。」（特許請求の範囲請求項１）
　
（１ｂ）「（６）は部品供給台で、前記チップ部品（４）を供給する部品供給装置（７）が多数台配列されている。」（【０００９】）
　
（１ｃ）「吸着ノズル（１２）が前記供給装置（７）より部品（４）を吸着し取り出す装着ヘッド（１３）の第１番目の停止位置が吸着ステーションで、該吸着ステーションにて回転盤（１１）の一番外側に位置する吸着ノズル（１２）が図２４のＮＣデータで示す順序に従い所定の部品（４）を吸着する。」（【００１１】）
　
（１ｄ）「角度補正ステーションの次の次の７番目の停止位置が装着ステーションで、前記基板（５）に該角度補正ステーションで角度補正された部品（４）が装着される。」（【００１８】）
　
（１ｅ）「先ず、電源を投入すると、ＣＲＴ（３２）は図６に示す初期画面を表示する。この画面には、「生産運転」、「段取作業」、「データ編集」、「装置メンテナンス」及び「環境設定」の各項目別の操作スイッチ部が表示される。尚、各操作スイッチ部は項目別に色分けされていると共に二重枠で表示されていて、その上面にタッチパネルスイッチ（３１）が取り付けられている。」（【００２４】）
　
（１ｆ）「また、前述の初期画面にて、緑色の「生産運転」の操作スイッチ部をタッチすると図７に示す生産運転に関する画面が表示される。そして、この画面のとき始動キー（３７）を押すと、図７に示す「停止中」の画面が図８に示すように「運転中」の画面に変わり、部品装着動作が開始され、その装着動作毎に装着ステップ、吸着レーンの情報が順次表示される。従って、作業者は装着動作毎に今、装着ステーションで装着しているのは装着順序（図２４で示すステップ番号）が何番目のもので、そのとき吸着ステーションではリール番号が幾つの部品供給装置（７）内の部品（４）を吸着しているのかという情報（吸着レーン）が確認できる。尚、図７中の「原点情報」の項の各構成要素の前の黒円はその要素が原点位置にあることを示している。また、「表示切替」の操作スイッチ部をタッチすると、現在原点情報を表示している表示部に生産機種の概要、例えば装置（２５）の不具合（稼動率を低下させている要因）等の管理情報等が表示される。
　以下、装置（２５）運転中に異常停止した後、運転を再開させる場合の動作について説明する。
　装置（２５）が異常停止すると、図８から図９に示す「休止中」の画面となるが、この図９の生産運転の画面の「サブメニュー」の操作スイッチ部をタッチし、図１５に示すサブメニューの画面を表示させる。この画面には、「生産機種データ修正・教示」（初期画面の「データ編集」の操作スイッチ部と同様に青色）、「情報再表示」，「生産管理情報」（同じく「装置メンテナンス」と同様に黄色）、「生産運転ステップ指定」（同じく「生産運転」と同様に緑色）、「運転方法設定」（同じく「データ編集」と同様に青色）及び「生産機種段取作業」（同じく「段取作業」と同様に黄緑色）の各項目別の操作スイッチ部が表示される。このようにして、初期画面に於ける「生産運転」、等と同系色の色から、作業者はこれら生産機種データ修正・教示等がこれらに属する旨が理解できる。
　青色の「生産機種データ修正・教示」の操作スイッチ部は、生産機種データ（ＮＣデータ・部品種データ）の修正、教示を行う場合にタッチする。」（【００３９】−【００４２】）及び図７−９、１５
　
（２）刊行物２
（２ａ）「システム用メモリ１３には上述のシステムプログラムやシステム処理に用いる演算データおよび本発明に関わり、プログラマブルコントローラの動作内容に対応したメッセージ情報、例えば「運転中」，「停止中」，「重故障」．「軽故障」などの文字列情報を格納している。・・・
　表示器１５Ａの表示画面の構成を図１に示す。
　表示器１５Ａの画面は主画面２０′、補助画面２１、メッセージ画面２３の３つに予め分割され、表示用メモリ１５内の格納情報もこの分割画面に対応付けられている。主画面２０′はプログラミング装置１０の基本的な処理、例えばプログラム作成処理（プログラミング処理）やモニタ処理において、入出力情報の表示に用いる。補助画面２１は特殊な演算処理を実行するときに、主画面では表示しきれない内容を表示する画面である。メッセージ画面２２はユーザに対する様々なメッセージを他の分割画面とは別個に表示する画面であり、プログラマブルコントローラの動作内容を示す情報２３は他の画面の消去，切換えに関係なく、このメッセージ画面の一部に常時、専用的に表示される。」（【００１４】−【００１８】）及び図１
　
５．当審の判断
（１）引用発明
　刊行物１は、（１ａ）の「プリント基板上に所定の作業を行う電子部品の組立装置に於いて、該組立装置に何らかの異常が発生した場合に当該異常内容を記憶する記憶装置と、該記憶装置に記憶された異常内容を種類分けして種類別に表示する表示装置とを設けたことを特徴とする電子部品の組立装置。」との記載によれば、「プリント基板上に所定の作業を行う電子部品の組立装置」に係るものであり、（１ｂ）によれば、「チップ部品を供給する部品供給装置」を備えているといえるし、（１ｃ）及び（１ｄ）によれば、「供給装置より部品を吸着し、プリント基板に装着する装着ヘッド」を備えているといえる。そして、（１ｅ）及び（１ｆ）によれば、電子部品の組立装置は表示装置を有しており、該表示装置は、「生産運転」、「段取作業」、「データ編集」、「装置メンテナンス」及び「環境設定」の各項目別の操作スイッチ部や、「停止中」「運転中」「休止中」の表示をする表示部を有するものであるから、「吸着及び装着に係る作業のための種々の表示をする表示装置」といえる。
　上記記載及び認定事項を本願発明の記載ぶりに則って整理すると、刊行物１には、次のとおりの発明が記載されているといえる。
　
「チップ部品を供給する部品供給装置と、この部品供給装置よりチップ部品を吸着し、プリント基板に装着する装着ヘッドと、前記吸着及び装着に係る作業のための種々の表示をする表示装置と、を備えた電子部品の組立装置において、「停止中」「運転中」「休止中」であることを表示する表示部を前記表示装置に設けた電子部品の組立装置。」（以下、「引用発明」という。）
　
（２）本願発明と引用発明との対比
　まず、本願発明と引用発明を対比すると、引用発明の「チップ部品」「部品供給装置」及び「表示装置」は、それぞれ、本願発明の「電子部品」「部品供給手段」及び「表示画面」に相当する。また、引用発明はプリント基板に装着する装着ヘッドを有するものであり、自動装着を行うことも明らかであるから、引用発明の「電子部品の組立装置」は、本願発明の「電子部品自動装着装置」に相当する。そして、引用発明における「「停止中」「運転中」「休止中」」は、本願発明における「装置の所定種類の機能の遷移状態」の態様であるから（本願明細書【００１０】）、引用発明の表示装置は、「装置の所定種類の機能の遷移状態を表示する表示部を設けている」といえる。
　そうすると、本願発明と引用発明は、
　
「電子部品を供給する部品供給手段と、この部品供給手段から供給される電子部品を吸着しプリント基板に装着する装着ヘッドと、前記吸着及び装着に係る作業のための種々の表示をする表示画面とを備えた電子部品自動装着装置において、装置の所定種類の機能の遷移状態を表示する表示部を前記表示画面に設けた電子部品自動装着装置。」
である点で一致し、次の点で相違する。
　
相違点：装置の所定種類の機能の遷移状態を表示する表示部に関して、本願発明では、表示画面の表示の電子部品の吸着或いは装着に係るデータを編集する表示への変更に関わらず、常に表示するのに対し、引用発明では、装置の所定種類の機能の遷移状態を表示するものの、表示画面の表示の電子部品の吸着或いは装着に係るデータを編集する表示への変更に関わらず、常に表示するかは、不明である点
　
（３）相違点についての判断
　刊行物１の（１ｆ）には、「青色の「生産機種データ修正・教示」の操作スイッチ部は、生産機種データ（ＮＣデータ・部品種データ）の修正、教示を行う場合にタッチする」と記載され、また、「生産機種データ修正・教示」の操作スイッチ部をタッチすれば、表示画面の表示の電子部品の吸着或いは装着に係るデータを編集する表示へ変更されることは技術常識であるから（要すれば、特開平５−３２７２８９号公報、【００６６】−【００６８】、図１５−２１、参照）、引用発明においても、表示画面の表示の電子部品の吸着或いは装着に係るデータを編集する表示へ変更可能であるものといえる。一方、装置の動作状況などの所定種類の情報を常に表示する表示部を表示画面に設けることは周知であるから（例えば、刊行物２の（２ａ）、参照）、引用発明の表示部においても、表示画面の表示の電子部品の吸着或いは装着に係るデータを編集する表示への変更に関わらず、装置の所定種類の機能の遷移状態を常に表示することは、当業者が容易に想到し得たことである。
　
（４）小括
　以上のとおりであるから、本願発明は、引用発明及び周知の事項に基づいて当業者が容易に発明をすることができたものである。
　
６．むすび
　したがって、本願発明は、特許法第２９条第２項の規定により特許を受けることができないものであるから、本願は、拒絶すべきでものである。
　よって、結論のとおり審決する。